(57)【要約】【課題】傘を差しながら、通話が可能なヘッドセット装着傘、携帯電話装置及びその制御方法、ヘッドセットのためのプログラムを提供する。【解決手段】ヘッドセット装着傘１００は、携帯電話装置２００との間で短距離無線通信を行うヘッドセット１０１を有する。ヘッドセット１０１は、傘１００の開動作及び閉動作を検知する傘開閉機構２５と、傘１００の柄１１の表面又はその近傍に配置される操作部２２と、制御部２９とを備える。制御部２９は、傘開閉機構２５によって検知された傘の開動作及び閉動作に応答してヘッドセット１０１を起動及び停止すると共に、携帯電話装置２００の着信時に操作部２２の操作があると携帯電話装置２００に着信処理を実行させる。【選択図】図１
2009218671.tif 000002
【特許請求の範囲】
【請求項１】
携帯電話装置との間で短距離無線通信を行うヘッドセットを有するヘッドセット装着傘であって、
前記ヘッドセットは、
傘の開動作及び閉動作を検知する開閉検知スイッチと、
傘の柄の表面又はその近傍に配置される着信応答スイッチと、
前記開閉検知スイッチによって検知された傘の開動作及び閉動作に応答してヘッドセットを起動及び停止すると共に、前記携帯電話装置の着信時に前記着信応答スイッチの操作があると、前記携帯電話装置に着信処理を実行させる制御部とを備えることを特徴とするヘッドセット装着傘。
【請求項２】
前記制御部は、前記携帯電話装置の通話中に前記着信応答スイッチの操作があると、前記携帯電話装置による通話を終了させる、請求項１に記載のヘッドセット装着傘。
【請求項３】
前記ヘッドセットは、前記携帯電話装置における通話以外の制御を行うための１つ以上の操作スイッチを更に備える、請求項１又は２に記載のヘッドセット装着傘。
【請求項４】
前記ヘッドセットは、前記携帯電話装置の表示装置に連動して表示を行う表示部を更に備える、請求項１〜３の何れか一に記載のヘッドセット装着傘。
【請求項５】
請求項１〜４の何れか一に記載のヘッドセット装着傘と組み合わせて使用される携帯電話装置であって、
前記ヘッドセットとの間で近距離無線通信が遮断された状態を検知するとアラームを発生することを特徴とする携帯電話装置。
【請求項６】
携帯電話装置との間で短距離無線通信を行うヘッドセットを有するヘッドセット装着傘を用いて携帯電話装置を制御する方法であって、
傘の開動作及び閉動作を検知して、ヘッドセットを起動及び停止するステップと、
前記携帯電話装置の着信時に、ヘッドセットの着信応答スイッチの操作を検知して、前記携帯電話装置に着信処理を実行させるステップとを有することを特徴とする携帯電話装置の制御方法。
【請求項７】
傘に装着され、短距離無線通信を用いて携帯電話装置を制御するヘッドセットのためのプログラムであって、前記ヘッドセットに、
傘の開動作及び閉動作を検知して、ヘッドセットを起動及び停止する処理と、
前記携帯電話装置の着信時に、ヘッドセットの着信応答スイッチの操作を検知して、前記携帯電話装置に着信処理を実行させる処理とを実行させることを特徴とするプログラム。
【発明の詳細な説明】
【技術分野】
【０００１】
本発明は、ヘッドセット装着傘、携帯電話装置及びその制御方法、ヘッドセットのためのプログラムに関し、更に詳しくは、携帯電話装置との間で短距離無線通信を行うヘッドセットを有するヘッドセット装着傘、携帯電話装置及びその制御方法、ヘッドセットのためのプログラムに関する。
【背景技術】
【０００２】
近年、携帯電話機では、機能の多様化が進んでおり、例えば通話やメールの送受信を行う機能だけでなく、各種端末と近距離で通信を行うための近距離用の無線通信機能を有しているものが知られている。
【０００３】
特許文献１には、携帯電話機との間で無線通信を行う無線機能付ヘッドセットが記載されている。この無線機能付ヘッドセットは、携帯電話機から着信履歴情報の受信を行う無線通信手段と、無線通信手段により受信した着信履歴情報を格納する記憶手段と、記憶手段に格納された着信履歴情報の全部又は一部の表示を行う表示手段とを備えており、ユーザが、携帯電話機を見ることなく着信情報を知ることが可能になる。
【０００４】
【特許文献１】特開２００５−３２３２６５号公報
【発明の開示】
【発明が解決しようとする課題】
【０００５】
特許文献１に記載の技術では、無線機能付ヘッドセットを利用する際には、ユーザが無線機能付ヘッドセットを予め頭部等に装着している必要があった。さらに、この技術では、携帯電話機を見ずに、着信情報を知ることができるだけであり、日常生活で想定される各種状況を考慮していない。
【０００６】
例えば、ユーザが、雨の日に外出しており、その際に着信があったという状況を想定すると、一方の手で傘を差しながら、他方の手で携帯電話機を持って通話する必要がある。さらに、片手に荷物を持っていると、通話がより困難となる。その対策として、ユーザが、外出中に、上記無線機能付ヘッドセットを常に装着することも考えられるが、それはユーザにとって大きな負担となる。
【０００７】
本発明は、傘を差しながら、通話が可能なヘッドセット装着傘、携帯電話装置及びその制御方法、ヘッドセットのためのプログラムを提供することを目的とする。
【課題を解決するための手段】
【０００８】
上記目的を達成するために、本発明は、携帯電話装置との間で短距離無線通信を行うヘッドセットを有するヘッドセット装着傘であって、
前記ヘッドセットは、
傘の開動作及び閉動作を検知する開閉検知スイッチと、
傘の柄の表面又はその近傍に配置される着信応答スイッチと、
前記開閉検知スイッチによって検知された傘の開動作及び閉動作に応答してヘッドセットを起動及び停止すると共に、前記携帯電話装置の着信時に前記着信応答スイッチの操作があると、前記携帯電話装置に着信処理を実行させる制御部とを備えることを特徴とするヘッドセット装着傘を提供する。
【０００９】
また、本発明は、上述したヘッドセット装着傘と組み合わせて使用される携帯電話装置であって、
前記ヘッドセットとの間で近距離無線通信が遮断された状態を検知するとアラームを発生することを特徴とする携帯電話装置を提供する。
【００１０】
また、本発明は、携帯電話装置との間で短距離無線通信を行うヘッドセットを有するヘッドセット装着傘を用いて携帯電話装置を制御する方法であって、
傘の開動作及び閉動作を検知して、ヘッドセットを起動及び停止するステップと、
前記携帯電話装置の着信時に、ヘッドセットの着信応答スイッチの操作を検知して、前記携帯電話装置に着信処理を実行させるステップと有することを特徴とする携帯電話装置の制御方法を提供する。
【００１１】
さらに、本発明は、傘に装着され、短距離無線通信を用いて携帯電話装置を制御するヘッドセットのためのプログラムであって、前記ヘッドセットに、
傘の開動作及び閉動作を検知して、ヘッドセットを起動及び停止する処理と、
前記携帯電話装置の着信時に、ヘッドセットの着信応答スイッチの操作を検知して、前記携帯電話装置に着信処理を実行させる処理とを実行させることを特徴とするプログラムを提供する。
【発明の効果】
【００１２】
本発明のヘッドセット装着傘、携帯電話装置の制御方法、及びヘッドセットのためのプログラムによると、傘の開閉動作に応答して、ヘッドセットを起動及び停止し、携帯電話装置の着信時に、ヘッドセットの着信応答スイッチの操作を検知して、携帯電話装置に着信処理を実行させるので、ユーザが傘を差しながら、通話を容易に行うことができる。
【００１３】
また、本発明の携帯電話装置によると、ヘッドセットとの間で近距離無線通信が遮断された状態を検知するとアラームを発生するので、ユーザが、ヘッドセット装着傘を忘れてしまうことを防止できる。
【発明を実施するための最良の形態】
【００１４】
以下、図面を参照し、本発明の実施の形態について詳細に説明する。
（第１の実施形態）
図１は、本発明の第１の実施形態に係るヘッドセット装着傘の構成を示す図である。ヘッドセット装着傘（以下、単に傘という）１００は、携帯電話装置２００との間で短距離無線通信を行うヘッドセット１０１を有し、中心軸１０と、中心軸１０の一端に形成され、ユーザに把持される柄１１と、傘布１２が張られた外骨と、一端が外骨に連結され、他端が中心軸１０に摺動自在に挿通されたロクロに連結された内骨とを備える。なお、外骨、ロクロ及び内骨は、既存の部材を適用可能であり、図示していない。
【００１５】
次に、図１及び図２を参照して、ヘッドセット１０１の機能等を説明する。ヘッドセット１０１は、例えば、アンテナ２０と、近距離無線回路部２１と、操作部２２と、着信ＬＥＤ２３と、バイブレータ２４と、傘開閉機構２５と、マイク２６と、スピーカ２７ａ，２７ｂと、記憶部２８と、制御部２９等とを備える。また、ヘッドセット１０１は、例えば、傘１００の中心軸１０内に電池を収容し、この電池から供給される電力により動作可能となる。なお、ヘッドセット１０１とは、少なくともマイク２６とスピーカ２７ａ，２７ｂとを備えており、ユーザが携帯電話装置２００を直接操作することなく、携帯電話装置２００の各種機能を利用可能とするものをいう。
【００１６】
アンテナ２０は、傘１００の柄１１に配置されており、近距離無線回路部２１と接続されている。近距離無線回路部２１は、図１に示すように、中心軸１０の一端付近であって、アンテナ２０の近傍に配置されており、アンテナ２０を介して携帯電話装置２００との間で近距離無線通信（例えば、Bluetooth「ブルートゥース  エスアイジー，インコーポレイテッド社の登録商標」、無線ＬＡＮ等）を行う。
【００１７】
操作部２２は、例えば、中心軸１０の表面であって、ユーザが傘１００を差しながらでも、その傘１００を持つ手で容易にキー操作ができるような位置に配置されている。操作部２２は、リモコン操作機能を有しており、例えば、携帯電話装置２００の着信時に押下（操作）されると通話が開始される、図示しない着信応答スイッチ、通話中に押下されると通話が終了する通話終了スイッチ、携帯電話装置２００に発信させるための発信用スイッチ、音量の増減を調整するための音量スイッチ、通話以外の各種機能を操作するための更に他のスイッチ等とを備える。
【００１８】
着信ＬＥＤ２３は、図１に示すように、中心軸１０の表面であって、操作部２２の近傍に配置され、携帯電話装置２００の着信時（又はメール受信時等）に応答して発光する機能を有する。バイブレータ２４は、中心軸１０であって、近距離無線回路部２１の近傍に配置され、着信時等に応答して振動する機能を有する。ユーザは、着信ＬＥＤ２３の発光又はバイブレータ２４の振動により、着信等を認識できる。
【００１９】
傘開閉機構２５は、傘１００の中心軸１０に配置されており、傘１００の開閉動作をワンタッチで可能とする機構であって、例えば、傘１００を開くためのワンタッチプッシュボタンと、傘１００の開動作及び閉動作を検知する開閉検知スイッチとを有する。マイク２６は、傘１００の柄１１の先端部に配置されており、ユーザが発した音声を携帯電話装置２００に入力する機能を有する。また、スピーカ２７ａ，２７ｂは、例えば、外骨等に取り付けられて、傘布１２付近に位置しており、携帯電話装置２００からの音声データ（例えば、通話での音声、各種報知のための音声）を出力する機能を有する。記憶部２８は、中心軸１０であって、操作部２２の近傍に配置されており、着信番号等やリダイヤル可能な番号等を記憶している。
【００２０】
制御部２９は、ヘッドセット１０１全体を制御する機能を有し、上記各部２１〜２８と電気的に接続されており、携帯電話装置２００とのインターフェースとして近距離無線回路部２１及びアンテナ２０を用いて、携帯電話装置２００と音声信号や制御信号の送受信を行う。また、制御部２９は、傘開閉機構２５に含まれる開閉検知スイッチによって検知された傘１００の開動作及び閉動作に応答して、ヘッドセット１０１を起動（電源オン）及び停止（電源オフ）すると共に、携帯電話装置２００の着信時に、操作部２２に含まれる着信応答スイッチの操作があると、携帯電話装置２００に着信処理を実行させる。以下、具体的に説明する。
【００２１】
まず、図３を参照して、傘１００と携帯電話装置２００との接続動作を説明する。制御部２９は、傘１００が開状態か否かを判定する（ステップＳ１０）。開状態とは、ユーザがワンタッチプッシュボタンを押下することで、傘１００が開いた状態をいう。つまり、ステップＳ１０では、制御部２９が、ワンタッチプッシュボタンが押下されたか否かを、開閉検知スイッチからの検出信号に基づいて判定する。
【００２２】
ステップＳ１０で、傘１００が開状態でなければ（Ｎ）、ヘッドセット１０１の電源をオフ状態とする（ステップＳ１１）。これは、傘１００が閉状態であれば、ヘッドセット１０１を起動する必要がなく、無駄な電力の消費を回避するためである。
【００２３】
一方、ステップＳ１０で、傘１００が開状態であれば（Ｙ）、ヘッドセット１０１の電源をオン状態とし（ステップＳ１２）、さらに、制御部２９は、携帯電話装置２００とヘッドセット１０１とを近距離無線通信で接続し（ステップＳ１３）、ヘッドセット１０１を着信／発信待ち状態とする（ステップＳ１４）。
【００２４】
続いて、制御部２９は、上記着信／発信待ち状態で、傘１００が閉状態か否かを判定し（ステップＳ１５）、閉状態であれば（Ｙ）、携帯端末装置との接続を切断して（ステップＳ１６）、ヘッドセット１０１の電源をオフ状態とする（ステップＳ１１）。また、ステップＳ１５で、閉状態でなければ（Ｎ）、再びステップＳ１４に戻り、上記待ち状態となる。
【００２５】
次に、図４を参照して、傘１００での着信動作を説明する。携帯電話装置２００に着信があると（ステップＳ２０）、制御部２９は、傘１００の操作部２２の着信応答スイッチが押下されたか否かを判定し（ステップＳ２１）、押下されたときには（Ｙ）、近距離無線通信により音声接続を確立して（ステップＳ２２）、通話状態とする（ステップＳ２３）。なお、ステップＳ２１で、着信応答スイッチが押下されていなければ（Ｎ）、ステップＳ２１の状態を維持する。
【００２６】
ステップＳ２２では、スピーカ２７ａ，２７ｂ及びマイク２６が有効となる。また、ステップＳ２３での通話状態では、傘１００のスピーカ２７ａ，２７ｂから通話相手の音声が出力され、かつ、ユーザの音声が傘１００のマイク２６に入力されることで、通話が可能となる。即ち、ヘッドセット１０１では、携帯電話装置２００に着信があると、近距離無線回路部２１を用いて、携帯電話装置２００との間で信号を送受信し、制御部２９に対して着信があったこと示す信号を送信する。それに応じて、制御部２９は、スピーカ２７ａ，２７ｂを鳴動させるか、又はバイブレータ２４を振動させることで、ユーザが着信を認識できる。その後に、ヘッドセット１０１では、ユーザが操作部２２を操作して着信を受け付けると、スピーカ２７ａ，２７ｂ及びマイク２６を用いて通話が可能となる。
【００２７】
続いて、制御部２９は、操作部２２の通話終了スイッチが押下されたか否かを判定する（ステップＳ２４）。ステップＳ２４で通話終了スイッチが押下されたときには（Ｙ）、制御部２９は、携帯電話装置２００と傘１００との音声接続を解除して（ステップＳ２５）、終話状態とし、着信待ち状態とする（ステップＳ２６）。なお、ステップＳ２４で、通話終了スイッチが押下されないときには（Ｎ）、ステップＳ２３の通話状態を維持する。
【００２８】
本実施形態の傘１００によれば、短距離無線通信を行うヘッドセット１０１を備えているので、片手で荷物を持っていても、片手で傘１００を差しながら、通話を容易に行うことができる。また、傘１００の開閉動作に応答して電源がオン状態又はオフ状態となるので、ユーザが意識することなくヘッドセット１０１を利用でき、また、省電力制御により消費電力を低減できる。
【００２９】
（第２の実施形態）
図５は、本発明の第２の実施形態に係るヘッドセット装着傘の構成を示す図である。なお、上記第１の実施形態に係る傘１００と重複する各部材等には同一符号等を付し、説明を適宜省略する。傘１００Ａは、ヘッドセット１０１Ａを有しており、中心軸１０の表面であって、操作部２２の近傍にクレードル３０を配置した点で、傘１００と異なる。
【００３０】
クレードル３０は、携帯電話装置２００Ａの表示装置に連動して表示を行う表示部３０ａと、通話以外の機能、例えばミュージックプレイヤー等を操作するためのスイッチ（例えば、方向キー）等とを備える。クレードル３０は、図６に示すように、制御部２９Ａとの間で各種信号のやり取りを行い、例えば、上記スイッチの押下に応じた検出信号を制御部２９Ａに送信する。制御部２９Ａは、操作部２２の各種スイッチからの検出信号だけでなく、クレードル３０に配置されたスイッチからの検出信号に従い、通話機能だけでなく、その他の各種機能を実行する。
【００３１】
以下、図７を参照して、クレードル３０の表示部３０ａを用いた操作について具体的に説明する。ここで、クレードル３０は、表示部３０ａの近傍に配置された、左方向（「←」）、右方向（「→」）に対応する方向キーや、決定キー、クリアキーを有している。制御部２９Ａは、これらのキーの押下に応じて、表示部３０ａの表示画面上のポインタ（カーソル）を移動させる等の各種制御を行う。まず、表示部３０ａの表示画面にメニュー画面が表示されると（ステップＳ３０）、制御部２９Ａは、右方向「→」キーが押下されたか否かを、クレードル３０からの検出信号に基づいて判定する（ステップＳ３１）。
【００３２】
ステップＳ３１で、右方向キーが押下されると（Ｙ）、制御部２９Ａは、表示部３０ａの表示画面上のポインタを、「→」方向に移動させて（ステップＳ３２）、再びステップＳ３０のメニュー表示に戻る。
【００３３】
一方、ステップＳ３１で右方向キーが押下されなければ（Ｎ）、制御部２９Ａは、左方向「←」キーが押下されたか否かを判定し（ステップＳ３３）、押下されると（Ｙ）、上記ポインタを、「←」方向に移動させて（ステップＳ３４）、ステップＳ３０のメニュー表示に戻る。また、ステップＳ３３で、左方向「←」キーが押下されなければ（Ｎ）、制御部２９Ａは、決定キーが押下されたか否かを判定する（ステップＳ３５）。
【００３４】
ステップＳ３５で、決定キーが押下されると（Ｙ）、制御部２９Ａは、決定キーによって選択された動作を実行し（ステップＳ３６）、その後に、ステップＳ３０のメニュー表示に戻る。また、ステップＳ３５で決定キーが押下されなければ（Ｎ）、制御部２９Ａは、クリアキーが押下されたか否かを判定し（ステップＳ３７）、押下されなければ（Ｎ）、再びステップＳ３０のメニュー表示に戻る。一方、クリアキーが押下されると（Ｙ）、クリアキーによって選択された動作を実行して（ステップＳ３８）、必要なメニュー画面に戻る。
【００３５】
本実施形態に係る傘１００Ａによれば、クレードル３０を配置したので、ユーザが表示画面を見ながら、携帯電話装置２００Ａに対する各種操作をより容易に行い、利便性を向上できる。
【００３６】
（第３の実施形態）
図８は、本発明の第３の実施形態に係るヘッドセット装着傘の構成を示す図である。傘１００Ｂは、ヘッドセット１０１Ｂを有しており、中心軸１０の表面であって、操作部２２の近傍にモード設定部４０を配置した点で、傘１００と異なる。モード設定部４０は、図９に示すように、制御部２９Ｂとの間で信号のやり取りを行い、傘忘れ防止機能の有効／無効を設定するためのスイッチである。
【００３７】
以下、図１０を参照して、傘忘れ防止機能について説明する。まず、モード設定部４０により傘忘れ防止機能を有効とする設定がなされると（ステップＳ４０）、携帯電話装置２００Ｂは、自身の位置情報に関連付けた天気予報情報をインターネット等から取得し、降水確率が高いか否かを判定する（ステップＳ４１）。
【００３８】
ステップＳ４１で、降水確率が低ければ（Ｎ）、携帯電話装置２００Ｂは、装置内部に保持された傘忘れ防止設定用Ｆｌａｇをオフとして（ステップＳ４２）、再びステップＳ４１の処理に戻り、定期的に天気予報を確認する。一方、ステップＳ４１で、降水確率が高く、雨予報であれば（Ｙ）、携帯電話装置２００Ｂは、傘忘れ防止用Ｆｌａｇをオンにし、さらに、傘１００Ｂとの通信が確立できるか否かを判定する（ステップＳ４３）。ステップＳ４３で、通信の確立ができなければ（Ｎ）、携帯電話装置２００Ｂは、定期的に通信の確立ができないかを確認し（ステップＳ４４）、再びステップＳ４３に戻る。
【００３９】
ステップＳ４３で、通信の確立ができるか否かは、携帯電話装置２００Ｂと傘１００Ｂとの距離に依存する。つまり、傘１００Ｂの近くに携帯電話装置２００Ｂがない場合には、通信の確立が困難であるから、ステップＳ４４の処理を行うことになる。また、傘１００Ｂの近くに携帯電話装置２００Ｂがあれば、通信の確立が可能であり（ステップＳ４３，Ｙ）、携帯電話装置２００Ｂは、短距離無線通信により傘１００Ｂとの通信を確立する（ステップＳ４５）。
【００４０】
通信が確立された後に、携帯電話装置２００Ｂは、傘１００Ｂが通信可能な距離から離れたか否かを確認し（ステップＳ４６）、距離が離れておらず（Ｎ）、通信が持続しているのであれば、定期的に通信距離を確認する（ステップＳ４７）。一方、ステップＳ４６で、傘１００Ｂが通信可能な距離から離れたときには（Ｙ）、通信状態が解除される。携帯電話装置２００Ｂは、通信状態が解除されると、警告音（アラーム）を発生する（ステップＳ４８）。ユーザは、このアラームによって、自身が傘１００Ｂから離れていることを知ることになり、その結果として、傘１００Ｂを忘れることが少なくなる。
【００４１】
本実施形態の傘１００Ｂによれば、近距離無線通信が遮断された状態を携帯電話装置２００Ｂが検知すると、アラームを発生するので、ユーザが傘１００Ｂを忘れてしまうことを低減できる。
【００４２】
上記各実施形態では、ヘッドセット１０１，１０１Ａ，１０１Ｂが短距離無線回路２１を用いて、携帯電話装置２００，２００Ａ，２００Ｂと通信する構成を示したが、これに限定されず、イヤホンマイクＩＦを用いるようにしてもよい。また、図４では、ヘッドセット１０１の着信動作について説明したが、例えば、発信動作を行う際には、制御部２９が、記憶部２８からリダイヤルや着信した番号に関する情報を読み出した上で、発信用スイッチを用いて、これらの番号に発信するようにしてもよい。
【００４３】
以上、本発明をその好適な実施形態に基づいて説明したが、本発明のヘッドセット装着傘、携帯電話装置及びその制御方法、ヘッドセットのためのプログラムは、上記実施形態の構成にのみ限定されるものではなく、上記実施形態の構成から種々の修正及び変更を施したものも、本発明の範囲に含まれる。
【図面の簡単な説明】
【００４４】
【図１】本発明の第１の実施形態に係るヘッドセット装着傘の構成を示す図。
【図２】図１に示すヘッドセットの機能を示すブロック図。
【図３】ヘッドセット装着傘と携帯電話装置との接続動作を示すフローチャート。
【図４】ヘッドセット装着傘での着信動作を示すフローチャート。
【図５】本発明の第２の実施形態に係るヘッドセット装着傘の構成を示す図。
【図６】図５に示すヘッドセットの機能を示すブロック図。
【図７】ヘッドセット装着傘のメニュー画面での動作を示すフローチャート。
【図８】本発明の第３の実施形態に係るヘッドセット装着傘の構成を示す図。
【図９】図８に示すヘッドセットの機能を示すブロック図。
【図１０】ヘッドセット装着傘での傘忘れ防止動作を示すフローチャート。
【符号の説明】
【００４５】
１０：中心軸
１１：柄
１２：傘布
２０：アンテナ
２１：近距離無線回路部
２２：操作部
２３：着信ＬＥＤ
２４：バイブレータ
２５：傘開閉機構
２６：マイク
２７ａ，２７ｂ：スピーカ
２８：記憶部
２９，２９Ａ，２９Ｂ：制御部
３０：クレードル
３０ａ：表示部
４０：モード設定部
１００，１００Ａ，１００Ｂ：ヘッドセット装着傘
１０１，１０１Ａ，１０１Ｂ：ヘッドセット
２００，２００Ａ，２００Ｂ：携帯電話装置
【図１】
2009218671.tif 000003
【図２】
2009218671.tif 000004
【図３】
2009218671.tif 000005
【図４】
2009218671.tif 000006
【図５】
2009218671.tif 000007
【図６】
2009218671.tif 000008
【図７】
2009218671.tif 000009
【図８】
2009218671.tif 000010
【図９】
2009218671.tif 000011
【図１０】
2009218671.tif 000012